(57)【特許請求の範囲】
【請求項１】
携帯通信端末（２）と、前記携帯通信端末（２）にて再生中の楽曲データが属するプレイリストに関する情報を前記携帯通信端末（２）から取得不可能な場合がある楽曲データ出力装置（３）とを備えた楽曲データ出力システムであって、
前記楽曲データ出力装置（３）は、前記携帯通信端末（２）から楽曲データを受信する楽曲データ受信手段（１７）と、前記携帯通信端末（２）から前記楽曲データ受信手段（１７）に受信された楽曲データを出力する楽曲データ出力手段（２２）と、前記携帯通信端末（２）に対して楽曲データを再生するように再生要求を再生要求送信手段（１７）から所定のプロトコルを用いて前記携帯通信端末（２）に送信させる装置側制御手段（１６）と、を備え、前記装置側制御手段（１６）は、前記携帯通信端末（２）にて再生されている楽曲データが属するプレイリストの楽曲データを繰り返し再生するようにプレイリストリピート再生要求を前記再生要求送信手段（１７）から前記所定のプロトコルを用いて前記携帯通信端末（２）に送信させるように構成され、
前記携帯通信端末（２）は、楽曲データの再生順序を示すリストをプレイリストとして記憶する楽曲データ記憶手段（９）と、前記楽曲データ記憶手段（９）に記憶されている楽曲データを再生し、その再生した楽曲データを楽曲データ送信手段（８）から前記楽曲データ出力装置（３）に送信させる端末側制御手段（６）と、前記楽曲データ出力装置（３）から所定のプロトコルを用いて再生要求及びプレイリストリピート再生要求を受信する再生要求受信手段（８）と、次に再生する楽曲データの選択に関する再生設定情報を記憶する再生設定情報記憶手段（１０）と、前記再生設定情報記憶手段（１０）に記憶されている再生設定情報を退避する再生設定情報退避手段（１１）と、を備え、前記端末側制御手段（６）は、前記楽曲データ出力装置（３）からプレイリストリピート再生要求が前記再生要求受信手段（８）に受信された場合に、前記再生設定情報としてプレイリストリピート再生を前記再生設定情報記憶手段（１０）に設定し、再生している楽曲データが属するプレイリストの最後の楽曲データの再生を完了した場合に、その楽曲データが属するプレイリストの楽曲データを繰り返し再生し、前記楽曲データ出力装置（３）からプレイリストリピート再生要求が前記再生要求受信手段（８）に受信された場合であって、前記携帯通信端末（２）にて設定された前記再生設定情報が前記再生設定情報記憶手段（１０）に記憶されている場合には、その前記再生設定情報を前記再生設定情報退避手段（１１）に退避させ、前記携帯通信端末（２）と前記楽曲データ出力装置（３）との間で接続されている前記所定のプロトコルが切断された後に、前記再生設定情報退避手段（１１）に退避させた前記再生設定情報を前記再生設定情報記憶手段（１０）に戻して記憶させることを特徴とする楽曲データ出力システム。
【請求項２】
請求項１に記載した楽曲データ出力システムにおいて、
前記端末側制御手段（６）は、前記携帯通信端末（２）と前記楽曲データ出力装置（３）との間で前記所定のプロトコルが接続された以降の前記楽曲データ出力装置（３）から最初にプレイリストリピート再生要求が前記再生要求受信手段（８）に受信された場合にのみ、その時点で前記再生設定情報記憶手段（１０）に記憶されている前記再生設定情報を前記再生設定情報退避手段（１１）に退避させることを特徴とする楽曲データ出力システム。
【発明の詳細な説明】
【技術分野】
【０００１】
本発明は、携帯通信端末から楽曲データを受信して出力する楽曲データ出力装置と携帯通信端末とを備える楽曲データ出力システムに関する。
【背景技術】
【０００２】
従来より、楽曲データを再生する携帯通信端末との間で楽曲データを転送可能なプロファイルを接続することで、携帯通信端末から楽曲データを受信して出力する楽曲データ出力装置が供されている（例えば特許文献１参照）。
【先行技術文献】
【特許文献】
【０００３】
【特許文献１】特開２００８−２７８２３８号公報
【発明の概要】
【発明が解決しようとする課題】
【０００４】
この種の楽曲データ出力装置においては、携帯通信端末が有する楽曲データに関する各種情報を取得し、楽曲データの再生を制御することが考えられている。しかしながら、楽曲データ出力装置は、再生中の楽曲データに関する情報（アーティスト名等）を携帯通信端末から取得することができる一方、その再生中の楽曲データが属するプレイリスト（楽曲データの再生順序を示すリスト）に関する情報を携帯通信端末から取得することができない場合がある。そのため、楽曲データ出力装置では、携帯通信端末にてプレイリストの最後の楽曲データの再生が完了されると、次の楽曲データの再生が開始されず、楽曲データを出力しない無音状態が発生する可能性があった。
【０００５】
本発明は、上記した事情に鑑みてなされたものであり、その目的は、携帯通信端末から楽曲データを受信して出力するに際して、携帯通信端末にてプレイリストの最後の楽曲データの再生が完了された以降に、無音状態が発生することを回避することができる楽曲データ出力システムを提供することにある。
【課題を解決するための手段】
【０００６】
請求項１に記載した楽曲データ出力システムによれば、楽曲データ出力装置において、装置側制御手段は、携帯通信端末に対して楽曲データを再生するように再生要求を再生要求送信手段から所定のプロトコルを用いて携帯通信端末に送信させる。携帯通信端末から楽曲データが楽曲データ受信手段に受信されると、楽曲データ出力手段は、携帯通信端末から楽曲データ受信手段に受信された楽曲データを出力する。ここで、装置側制御手段は、携帯通信端末にて再生されている楽曲データが属するプレイリストの楽曲データを繰り返し再生するようにプレイリストリピート再生要求を再生要求送信手段から所定のプロトコルを用いて携帯通信端末に送信させる。
【０００７】
即ち、楽曲データ出力装置において、プレイリストリピート再生要求を携帯通信端末に送信することで、携帯通信端末にて再生されている楽曲データが属するプレイリストの楽曲データを繰り返し再生するように指示することができる。そして、楽曲データ出力装置において、その繰り返し再生された楽曲データを携帯通信端末から受信することで、携帯通信端末にてプレイリストの最後の楽曲データの再生が完了された以降でも、次の楽曲データを出力することができ、無音状態が発生することを回避することができる。
【図面の簡単な説明】
【０００８】
【図１】本発明の一実施形態を示す機能ブロック図
【図２】シーケンス図
【図３】図２相当図
【図４】ホーム画面を示す図
【図５】再生中画面を示す図
【図６】プレイリスト楽曲一覧画面を示す図
【図７】全楽曲一覧画面を示す図
【発明を実施するための形態】
【０００９】
以下、本発明の楽曲データ出力装置を、ユーザが携帯可能な携帯通信端末とＢｌｕｅｔｏｏｔｈ（登録商標、以下、単にＢＴと称する）通信可能であり、車両に搭載されている車両用機器に適用した一実施形態について、図面を参照して説明する。図１に示すように、車両用通信システム１（楽曲データ出力システムに相当）は、ユーザが携帯可能な携帯通信端末２と、車両に搭載されている車両用機器３とを有して構成される。本実施形態では、携帯通信端末２として、近年、高性能化が進む所謂スマートフォン（Smart Phone)を想定している。携帯通信端末２は、例えばコンテンツプロバイダが管理するサーバ４や中間サーバ５と通信網（図示せず）を通じて接続することで、サーバ４から配信されるコンテンツを直接取得したり中間サーバ５を通じて取得したりする。通信網は、携帯電話基地局や基地局制御装置等の周知の公衆回線網を使用する携帯電話通信サービスを提供する設備を含む。
【００１０】
サーバ４は、ＰＯＩ（Point Of Interface）検索サービス、ニュース配信サービス、ＳＮＳ（Social Networking Service）サービス、音楽ストリーミング配信サービス、インターネットラジオ配信サービス等を実現する各種のコンテンツを保持している。サーバ４は、携帯通信端末２から配信要求を受付けると、その受付けた配信要求により特定されるコンテンツを、通信網を通じて携帯通信端末２に配信する。中間サーバ５は、サーバ４から配信されるコンテンツのデータ形式を、車両用機器３が当該コンテンツを利用可能なデータ形式に変換する機能を有する。即ち、例えば音楽ストリーミングデータ等のデータ形式を変換する必要がないコンテンツは、サーバ４から携帯通信端末２に直接配信される。一方、例えばＰＯＩデータやニュースデータ等のデータ形式を変換する必要があるコンテンツは、サーバ４から中間サーバ５を通じて携帯通信端末２に配信される。
【００１１】
携帯通信端末２は、制御部６（端末側制御手段に相当）と、電話通信部７と、ＢＴ通信部８（楽曲データ送信手段、再生要求受信手段に相当）と、記憶部９（楽曲データ記憶手段に相当）と、再生設定情報記憶部１０（再生設定情報記憶手段に相当）と、再生設定情報退避部１１（再生設定情報退避手段に相当）と、表示部１２と、操作部１３と、音声入力部１４と、音声出力部１５とを有する。制御部６は、ＣＰＵ、ＲＡＭ、ＲＯＭ及びＩ／Ｏバス等を有する周知のマイクロコンピュータから構成されている。制御部６は、ＲＯＭ等に記憶されているコンピュータプログラムを実行することで、データ通信処理やデータ管理処理等の携帯通信端末２の動作全般を制御する。
【００１２】
電話通信部７は、サーバ４や中間サーバ５等との間で通信網を通じて電話通信（音声通信やデータ通信を含む）を行う。ＢＴ通信部８は、後述する車両用機器３のＢＴ通信部１７との間で近距離無線通信回線としてのＢＴ通信回線を接続可能であり、ＢＴ通信回線の接続状態でＢＴ通信を行う。ＢＴ通信部８は、ＢＴの通信規格で規定されている複数のプロファイルを同時接続（所謂マルチプロファイル接続）可能に構成されている。これら複数のプロファイルは、機能毎に定義されたプロトコルを意味している。この場合、プロファイルとしては、楽曲データの転送を規定するＡ２ＤＰ（Advanced Audio Distribution Profile）、楽曲データの制御（再生、一時停止、停止等）に係る制御データの転送を規定するＡＶＲＣＰ（Audio/Video Remote Control Profile）、仮想シリアルポート化したデータ通信を規定するＳＰＰ（Serial Port Profile）、ハンズフリー通話を規定するＨＦＰ（Hands Free Profile）等が規定されている。
【００１３】
記憶部９は、各種データや楽曲データを記憶可能に構成されている。この場合、記憶部９は、複数の楽曲データを纏めてプレイリストとして記憶している。プレイリストは、楽曲データの再生順序を示すリストであり、例えばアルバムに登録されている楽曲データの再生順序と同等である。尚、記憶部９は、例えばメモリカード等の携帯通信端末３から取外し可能な記憶媒体から構成されていても良い。
【００１４】
再生設定情報記憶部１０は、次に再生する楽曲データの選択に関する再生設定情報を記憶可能に構成されている。この場合、ユーザは、次に再生する楽曲データの選択として「１曲リピート再生」や「シャッフル再生」を設定可能である。制御部６は、ユーザが「１曲リピート再生」の設定を操作部１３にて行うと、再生設定情報として「１曲リピート再生」を再生設定情報記憶部１０に記憶させる。又、制御部６は、ユーザが「シャッフル再生」の設定を操作部１３にて行うと、再生設定情報として「シャッフル再生」を再生設定情報記憶部１０に記憶させる。再生設定情報退避部１１は、再生設定情報記憶部１０に記憶されている再生設定情報を退避する。
【００１５】
表示部１２は、例えば液晶表示器や有機ＥＬ表示器等から構成され、制御部６から入力する表示指令信号に基づいて各種情報を表示する。操作部１３は、表示部１２の表示画面上に形成されるタッチスイッチである所謂タッチパネルや、表示部１２の周囲や近傍に機械的に設けられているスイッチ等を含む各種の操作キーから構成される。操作部１３は、ユーザが操作キーを操作したことに応じて操作検出信号を制御部６に出力する。制御部６は、操作部１３から入力する操作検出信号を解析してユーザによる操作内容を特定する。又、制御部６は、ＢＴ通信部８と後述する車両用機器３のＢＴ通信部１７との間でＢＴ通信可能な状態では、その特定した操作内容をＢＴ通信により車両用機器３に通知する。
【００１６】
音声入力部１４は、携帯通信端末２が単体の電話機として動作しているとき、即ち、単体の通話状態にある（後述するハンズフリー通話状態でない）ときには、ユーザが発した音声を送話音声として入力する。送話音声は、電話通信部７から通信網を通じて通話相手に送信される。音声出力部１５は、携帯通信端末２が単体の電話機として動作しているとき、即ち、単体の通話状態にあるときには、通話相手から通信網を通じて電話通信部７に受信された音声を受話音声として出力する。
【００１７】
制御部６は、各種のアプリケーションを実行可能であり、アプリケーションの一つとして、記憶部９に記憶されている楽曲データを再生して出力するアプリケーション（楽曲再生アプリケーション）を実行可能である。即ち、制御部６は、楽曲再生アプリケーションを起動すると、記憶部９に記憶されている楽曲データを読出し、その読出した楽曲データを再生する。この場合、制御部６は、ＢＴ通信部８とＢＴ通信部１７とが両者の間でＢＴ通信回線を接続しておらず、携帯通信端末２が単体で動作する状態であれば、再生した楽曲データの出力先を自機の音声出力部１５に設定することで、楽曲データを音声出力部１５から出力させる。又、制御部６は、楽曲データを再生中の期間では、再生中の楽曲データのアーティスト名やアルバム名や楽曲名を含む楽曲情報を表示部１２に表示させると共に、楽曲データの再生時間の経過を示す再生位置情報や楽曲データの再生を完了するまでに要する時間を示す再生時間情報を含む再生曲情報を表示部１２に表示させる。
【００１８】
一方、制御部６は、ＢＴ通信部８とＢＴ通信部１７とが両者の間でＢＴ通信回線を接続しており、Ａ２ＤＰ、ＡＶＲＣＰ及びＳＰＰを接続しており、携帯通信端末２が車両用機器３と連携して動作する状態であれば、再生した楽曲データの出力先を車両用機器３の音声出力部２２に設定することで、楽曲データをＡ２ＤＰにより車両用機器３に転送して当該車両用機器３の音声出力部２２から出力させる。又、制御部６は、楽曲データを再生中の期間では、上記した楽曲情報や再生曲情報をＳＰＰにより車両用機器３に転送して当該車両用機器３の表示部１９に表示させる。
【００１９】
車両用機器３は、制御部１６（装置側制御手段、再生完了判定手段に相当）と、ＢＴ通信部１７（楽曲データ受信手段、再生要求送信手段に相当）と、記憶部１８と、表示部１９と、操作部２０と、音声入力部２１と、音声出力部２２（楽曲データ出力手段に相当）と、信号入力部２３と、車両ＬＡＮ通信部２４とを有する。制御部１６は、ＣＰＵ、ＲＡＭ、ＲＯＭ及びＩ／Ｏバス等を有する周知のマイクロコンピュータから構成されている。制御部１６は、ＲＯＭ等に記憶されているコンピュータプログラムを実行することで、データ通信処理やデータ管理処理等の車両用機器３の動作全般を制御する。
【００２０】
ＢＴ通信部１７は、携帯通信端末２のＢＴ通信部８との間で近距離無線通信回線としてのＢＴ通信回線を接続可能であり、ＢＴ通信回線の接続状態でＢＴ通信を行う。ＢＴ通信部１７も、携帯通信端末２のＢＴ通信部８と同様に、ＢＴの通信規格で規定されている複数のプロファイルを同時接続可能に構成されている。
【００２１】
記憶部１８は、携帯通信端末２の記憶部９と同様に、各種データや楽曲データを記憶可能に構成されており、複数の楽曲データを纏めてプレイリストとして記憶している。
表示部１９は、例えば液晶表示器や有機ＥＬ表示器等から構成され、制御部１６から入力する表示指令信号に基づいて各種情報を表示する。操作部２０は、表示部１９の表示画面上に形成されるタッチスイッチである所謂タッチパネルや、表示部１９の周囲や近傍に機械的に設けられているスイッチ等を含む各種の操作キーから構成される。操作部２０は、ユーザが操作キーを操作したことに応じて操作検出信号を制御部１６に出力する。制御部１６は、操作部２０から入力する操作検出信号を解析してユーザによる操作内容を特定する。又、制御部１６は、ＢＴ通信部１７と上記した携帯通信端末２のＢＴ通信部８との間でＢＴ通信可能な状態では、その特定した操作内容をＢＴ通信により携帯通信端末２に通知する。
【００２２】
音声入力部２１は、携帯通信端末２及び車両用機器３がハンズフリー通話状態にあるときには、ユーザが発した音声を送話音声として入力する。送話音声は、ＢＴ通信部１７から携帯通信端末２のＢＴ通信部８に転送され、電話通信部７から通信網を通じて通話相手に送信される。音声出力部２２は、携帯通信端末２及び車両用機器３がハンズフリー通話状態にあるときには、通話相手から通信網を通じて電話通信部７に受信され、携帯通信端末２のＢＴ通信部８からＢＴ通信部１７に転送された音声を受話音声として出力する。
【００２３】
信号入力部２３は、車両に搭載されているＡＣＣ（アクセサリ）スイッチ（図示せず）に接続しており、ＡＣＣスイッチからＡＣＣ信号を入力すると、ＡＣＣ信号を制御部１６に出力する。制御部１６は、信号入力部２３から入力するＡＣＣ信号のオンオフに基づいて電源回路（図示せず）のオンオフを制御する。即ち、制御部１６は、ＡＣＣ信号がオフからオンに変化したタイミングで電源回路をオンし、車両用機器３を起動し、ＡＣＣ信号がオンからオフに変化したタイミングで電源回路をオフし、車両用機器３を停止する。
【００２４】
車両ＬＡＮ通信部２４は、車両に搭載されている車両ＬＡＮ２５に接続されており、車両に搭載されている各種ＥＣＵ（Electronic Control Unit）２６や各種センサ２７との間で車両ＬＡＮ２５を通じたデータ通信を行う。
【００２５】
制御部１６も、上記した携帯通信端末２の制御部６と同様に、各種のアプリケーションを実行可能であり、アプリケーションの一つとして、記憶部１８に記憶されている楽曲データを再生して出力するアプリケーション（楽曲再生アプリケーション）を実行可能である。即ち、制御部１６は、楽曲再生アプリケーションを起動すると、記憶部１８に記憶されている楽曲データを読出し、その読出した楽曲データを再生して音声出力部２２から出力させる。
【００２６】
次に、上記した構成の作用について、図２乃至図７も参照して説明する。
車両用機器３において、制御部１６は、ＢＴ通信部８とＢＴ通信部１７とが両者の間でＢＴ通信回線を接続しており、Ａ２ＤＰ、ＡＶＲＣＰ及びＳＰＰを接続している状態で、ユーザがミュージックプレイヤーを起動する操作を操作部２０にて行ったと判定すると（ステップＳ１：ＹＥＳ）、再生要求をＢＴ通信部１７からＳＰＰ（所定のプロトコルに相当）によりＢＴ通信部８に送信させる。具体的には、制御部１６は、図４に示すように、複数のアプリケーションを任意に選択可能な複数のタッチボタン（アイコン、図４ではサービスＡ〜Ｈに対応するタッチボタン３１ａ〜３１ｈ）を含むホーム画面３１を表示部１９に表示させている状態で、ユーザがミュージックプレイヤーのタッチボタンを押下したと判定すると、再生要求をＢＴ通信部１７からＳＰＰによりＢＴ通信部８に送信させる。
【００２７】
携帯通信端末２において、制御部６は、再生要求がＢＴ通信部８に受信されたと判定すると、ミュージックライブラリを検索し（ステップＴ１）、前回のＢＴ通信回線を切断する直前まで再生していた楽曲データを特定する。そして、制御部６は、その特定した楽曲データを記憶部９から読出し、その読出した楽曲データの再生（ストリーミング再生）を開始し（ステップＴ２）、その再生した楽曲データをＢＴ通信部８からＡ２ＤＰによりＢＴ通信部１７に送信させる。尚、制御部６は、その時点で楽曲データを既に再生しており、即ち、楽曲データを音声出力部１５から出力させている場合には、楽曲データの出力先を音声出力部１５から車両用機器３の音声出力部２２に切換え、その楽曲データをＢＴ通信部８からＡ２ＤＰによりＢＴ通信部１７に送信させる。
【００２８】
制御部６は、このようして楽曲データの再生を開始すると、再生中の楽曲データの楽曲情報（アーティスト名、アルバム名、楽曲名）をＢＴ通信部８からＳＰＰによりＢＴ通信部１７に送信させ、再生曲情報（楽曲データの再生時間の経過を示す再生位置情報、楽曲データの再生を完了するまでに要する時間を示す再生時間情報）をＢＴ通信部８からＳＰＰによりＢＴ通信部１７に送信させる。この場合、制御部６は、楽曲データを再生中の期間では、その楽曲データの再生を完了するまで再生位置情報を継続的に送信させる。
【００２９】
車両用機器３において、制御部１６は、楽曲データがＢＴ通信部１７に受信されたと判定すると、その受信された楽曲データを音声出力部２２から出力させる（ステップＳ２）。即ち、ユーザは、携帯通信端末２に登録されている楽曲データの音声を車両用機器３の音声出力部２２から聴くことが可能となる。又、制御部１６は、楽曲情報及び再生曲情報がＢＴ通信部１７に受信されたと判定すると、その受信された楽曲情報及び再生曲情報を表示部１９に表示させる（ステップＳ３）。具体的には、制御部１６は、図５に示すように、楽曲データを再生中であることを示す再生中画面３２を表示部１９に表示させ、再生中の楽曲データが属するアルバムのジャケット写真（図５では「Ｉｍａｇｅ」）３２ａ、アーティスト名（図５では「アーティストＡ」）３２ｂ、アルバム名（図５では「アルバムＡ」）３２ｃ、楽曲名（図５では「楽曲Ａ」）３２ｄを表示させると共に、再生時間の経過を示すシークバー３２ｅ及びシークバーハンドル３２ｆ、現在再生時間３２ｇ、残り再生時間３２ｈを表示させる。
【００３０】
尚、制御部１６は、ユーザが再生中画面３２にてプレイリストタブ３２ｉを押下したと判定すると、図６に示すように、プレイリスト楽曲一覧画面３３を表示部１９に表示させる。更に、制御部１６は、ユーザが再生中画面３２にて全楽曲一覧タブ３２ｊを押下したと判定すると、図７に示すように、全楽曲一覧画面３４を表示部１９に表示させる。
【００３１】
制御部１６は、楽曲データがＢＴ通信部１７に受信されている期間では、シークバーハンドル３２ｆの位置、現在再生時間３２ｇ、残り再生時間３２ｈを更新しつつ、携帯通信端末２にて楽曲データの再生が完了されたか否かを監視する（ステップＳ４）。即ち、制御部１６は、携帯通信端末２から再生曲情報として通知される再生位置情報（現在再生時間及び残り再生時間）と再生時間情報とを比較し、例えば現在再生時間が再生時間情報に達したか否か、又は残り再生時間が零に達したか否かを判定することで、携帯通信端末２にて楽曲データの再生が完了されたか否かを判定する。ここで、制御部１６は、携帯通信端末２にて楽曲データの再生が完了されたと判定すると（ステップＳ４：ＹＥＳ）、プレイリストリピート再生要求をＢＴ通信部１７からＳＰＰによりＢＴ通信部８に送信させる。
【００３２】
携帯通信端末２において、制御部６は、プレイリストリピート再生要求がＢＴ通信部８に受信されたと判定すると、今回のプレイリストリピート再生要求の受信がＳＰＰを接続した以降の最初の受信であるか否かを判定する（ステップＴ３）。制御部６は、今回のプレイリストリピート再生要求の受信がＳＰＰを接続した以降の最初の受信であると判定すると（ステップＴ３：ＹＥＳ）、その時点で「１曲リピート再生」又は「シャッフル再生」が再生設定情報記憶部１０に記憶されているか否かを判定する（ステップＴ４）。制御部６は、その時点で「１曲リピート再生」又は「シャッフル再生」が記憶されていると判定すると（ステップＴ４：ＹＥＳ）、その「１曲リピート再生」又は「シャッフル再生」を再生設定情報退避部１１に退避させ（ステップＴ５）、プレイリストリピート再生要求が受信されたことに応じて「プレイリストリピート再生」を再生設定情報記憶部１０に記憶させる（ステップＴ６）。尚、今回のプレイリストリピート再生要求の受信がＳＰＰを接続した以降の最初の受信である場合に限って「１曲リピート再生」又は「シャッフル再生」を退避させるのは、プレイリストリピート再生要求を受信する毎に「１曲リピート再生」又は「シャッフル再生」を退避させてしまうと、同じ内容を何度も上書き（オーバーライト）することになり、無意味な動作を繰り返し行うことを回避するためである。
【００３３】
又、制御部６は、「１曲リピート再生」又は「シャッフル再生」が記憶されていないと判定すると（ステップＴ４：ＮＯ）、プレイリストリピート再生要求が受信されたことに応じて「プレイリストリピート再生」を再生設定情報記憶部１０に記憶させる（ステップＴ６）。更に、制御部６は、今回のプレイリストリピート再生要求の受信がＳＰＰを接続した以降の最初の受信でない（２回目以降の受信である）と判定すると（ステップＴ３：ＮＯ）、その時点で「１曲リピート再生」又は「シャッフル再生」が記憶されているか否かを判定することなく、プレイリストリピート再生要求が受信されたことに応じて「プレイリストリピート再生」を再生設定情報記憶部１０に記憶させる（ステップＴ６）。
【００３４】
これ以降、制御部６は、プレイリストの最後でない楽曲データの再生を完了すると、ステップＴ２に戻り、そのプレイリストの再生順序にしたがって次の楽曲データの再生を開始し、上記したステップＴ２以降の処理を繰り返して行う。一方、制御部６は、プレイリストの最後の楽曲データの再生を完了すると、上記したように「プレイリストリピート再生」を再生設定情報記憶部１０に記憶させたことで、ステップＴ２に戻り、その直前まで再生していた楽曲データが属するプレイリストの例えば最初の楽曲データの再生を開始し、上記したステップＴ２以降の処理を繰り返して行う。この場合、制御部６は、その直前まで再生していた楽曲データが属するプレイリストの最初の楽曲データの再生を開始することに限らず、ユーザが予め指定した任意の楽曲データの再生を開始しても良い。即ち、携帯通信端末２において、プレイリストの最後の楽曲データの再生を完了した以降でも、その直前まで再生していた楽曲データが属するプレイリストの楽曲データの再生を開始することで、楽曲データの音声出力部２２からの出力が継続されることになる。
【００３５】
又、制御部６は、これ以降にＢＴ通信部８とＢＴ通信部１７とが両者の間で接続していたＢＴ通信回線を切断すると、ＢＴ通信回線を接続している期間にて「１曲リピート再生」又は「シャッフル再生」を再生設定情報退避部１１に退避させたか否かを判定する（ステップＴ７）。制御部６は、「１曲リピート再生」又は「シャッフル再生」を退避させたと判定すると（ステップＴ７：ＹＥＳ）、その退避させた「１曲リピート再生」又は「シャッフル再生」を復帰させ（ステップＴ８）、その「１曲リピート再生」又は「シャッフル再生」を再生設定情報記憶部１０に記憶させる（ステップＴ９）。即ち、携帯通信端末２において、車両用機器３からプレイリストリピート再生要求を受信したことで一旦退避させた「１曲リピート再生」又は「シャッフル再生」を復帰させることで、これ以降に楽曲データを転送しない場合でも（単体で動作する場合でも）、車両用機器３からプレイリストリピート再生要求を受信する以前に設定された「１曲リピート再生」又は「シャッフル再生」にしたがって楽曲データを再生して出力することになる。
【００３６】
以上に説明したように本実施形態によれば、車両用機器３において、携帯通信端末２が楽曲データの再生を完了したと判定する毎に、プレイリストリピート再生要求を携帯通信端末３に送信するようにした。これを受けて、携帯通信端末３は、プレイリストリピート再生要求が受信されると、その直前まで再生して車両用機器３に送信していた楽曲データがプレイリストの最後の楽曲データであると、その直前まで再生して車両用機器３に送信していた楽曲データが属するプレイリストの例えば最初の楽曲データを再生して車両用機器３に送信する。
【００３７】
これにより、車両用機器３において、プレイリストリピート再生要求を携帯通信端末３に送信することで、携帯通信端末にてプレイリストの最後の楽曲データの再生が完了された以降でも、その直前まで携帯通信端末２にて再生されていた楽曲データが属するプレイリストの楽曲データを再生させて送信させることができる。そして、車両用機器３において、携帯通信端末２から送信された楽曲データを受信することで、次の楽曲データを出力することができ、無音状態が発生することを回避することができる。
【００３８】
又、携帯通信端末２において、プレイリストリピート再生要求が受信された際に、１曲リピート再生」又は「シャッフル再生」が設定されていると、その「１曲リピート再生」又は「シャッフル再生」の設定を退避させ、ＢＴ通信回線を切断した後に、その退避させた「１曲リピート再生」又は「シャッフル再生」を復帰させるようにした。これにより、携帯通信端末２がＢＴ通信回線を切断した後に単体で楽曲データを再生して出力する際には、車両用機器３からプレイリストリピート再生要求が受信される前の状態で楽曲データを再生して出力することができる。
【００３９】
本発明は、上記した実施形態にのみ限定されるものではなく、以下のように変形又は拡張することができる。
携帯通信端末２から楽曲データを受信して出力する楽曲データ出力装置は、車両に搭載されている車両用機器３に限らず、例えば宅内に設置されるような機器であっても良く、即ち、車両に搭載されない機器であっても良い。
【００４０】
車両用機器３において、楽曲データの再生を完了したと判定した時点でプレイリストリピート再生要求を携帯通信端末２に送信することに限らず、再生中の任意の時点（例えば再生を開始してから所定時間が経過した時点等）でプレイリストリピート再生要求を携帯通信端末２に送信するようにしても良い。再生中にプレイリストリピート再生要求を携帯通信端末２に送信する場合には、プレイリストリピート再生要求を定期的に複数回で送信するようにしても良い。
【符号の説明】
【００４１】
図面中、１は車両用通信システム（楽曲データ出力システム）、２は携帯通信端末、３は車両用機器（楽曲データ出力装置）、６は制御部（端末側制御手段）、８はＢＴ通信部（楽曲データ送信手段、再生要求受信手段）、９は楽曲データ記憶部（楽曲データ記憶手段）１０は再生設定情報記憶部（再生設定情報記憶手段）、１１は再生設定情報退避部（再生設定情報退避手段）、１６は制御部（装置側制御手段、再生完了判定手段）、１７はＢＴ通信部（楽曲データ受信手段、再生要求送信手段）、２２は音声出力部（楽曲データ出力手段）である。
【図１】
0006031825.tif 000002
【図２】
0006031825.tif 000003
【図３】
0006031825.tif 000004
【図４】
0006031825.tif 000005
【図５】
0006031825.tif 000006
【図６】
0006031825.tif 000007
【図７】
0006031825.tif 000008